(57)【要約】【課題】複数の粒子が包囲部材により包囲された構造の動作規制部材における、包囲部材の耐久性、衝突後の原状復帰性を向上させた電子鍵盤楽器の鍵盤装置を提供する。【解決手段】下限ストッパ５は、鍵の配列方向に延在する動作規制部材であって、拡張規制部材１０に収容され、鍵盤フレームの前部３ｄに配置されている。下限ストッパ５は、複数の粒子１１が、包囲部材１２により包囲されて閉領域に収容されたものであって、ストッパ片１ｃ，２ｃが衝突することにより、白鍵本体部１，黒鍵本体部２の下限位置を規制する。拡張規制部材１０は、鍵の長手方向に前方壁１０ａ及び後方壁１０ｂを有する。ストッパ片の先端部１ｄが下限ストッパ５に衝突したとき、粒子１１が鍵の長手方向に移動し、包囲部材１２が鍵の長手方向に拡張するが、前方壁１０ａ，後方壁１０ｂにより規制される。【選択図】図１
2008145944.tif 000002
【特許請求の範囲】
【請求項１】
並設された複数の回動部材と、該複数の回動部材を支持するフレームと、前記各回動部材を衝突させることにより当該回動部材の回動範囲を規制する動作規制部材を有する電子楽器の鍵盤装置において、
前記動作規制部材の少なくとも１つは、複数の粒子が包囲部材により部分的に又は全体を包囲されて閉領域に収容され、前記複数の回動部材の配列方向に延在するものであり、
前記少なくとも１つの動作規制部材を収容し、前記回動部材が前記動作規制部材に衝突したとき、前記動作規制部材が前記回動部材の配列方向に直交する方向に拡張することを規制する拡張規制部材が、前記フレームの側にある、
ことを特徴とする電子楽器の鍵盤装置。
【請求項２】
前記複数の回動部材は、前記動作規制部材に鉛直略下方向から衝突し、
前記拡張規制部材は、前記動作規制部材の各衝突位置に対応して、それぞれ、スリット状開口部を有する、
ことを特徴とする請求項１に記載の電子楽器の鍵盤装置。
【請求項３】
前記拡張規制部材が前記少なくとも１つの動作規制部材を収容する領域に、該領域を前記複数の回動部材の配列方向に分割する移動規制部材を有し、
前記動作規制部材は、複数の動作規制部材に分割され、分割された動作規制部材が、それぞれ、前記移動規制部材により分割された前記領域に収容され、
前記粒子が前記複数の回動部材の配列方向に移動することを規制する、
ことを特徴とする請求項１又は２に記載の電子楽器の鍵盤装置。
【請求項４】
前記拡張規制部材は、前記フレームと一体に形成されている、
ことを特徴とする請求項１から３までのいずれか１項に記載の電子楽器の鍵盤装置。
【発明の詳細な説明】
【技術分野】
【０００１】
本発明は、電子楽器の鍵盤装置に関するものであり、特に鍵や鍵に連動する質量体の回動動作を規制するストッパ部材に関するものである。
【背景技術】
【０００２】
従来、電子楽器の鍵盤装置において、押鍵操作したときの鍵の回動動作範囲（初期位置から最大回動位置まで）は、上限ストッパ及び下限ストッパにより規制されている。
図７は、従来の電子楽器の鍵盤装置を模式的に説明する右側面図である。
図中、１は白鍵本体部、２は黒鍵本体部である。３は鍵盤フレームであって、鍵の長手方向の前後部に段差があり、これらの間が水平部３ａとなり、水平部３ａの後部分に鍵支持部３ｂがある。
【０００３】
白鍵本体部１の鍵支点部１ｂは、鍵支持部３ｂに取り付けられて白鍵本体部１を回動可能にしている。
白鍵本体部１は、その上面から下方向に両側面部が形成され、両側面部は、先端部１ａ寄りの中間位置において、さらに下方向に垂下して左右一対のストッパ片１ｃとなり、その先端部１ｄは、鍵の奥行き方向に略直角に曲がっている。
黒鍵本体部２についても、上述した白鍵と同様の位置に、鍵支点部２ｂとストッパ片２ｃがある。
鍵盤フレーム３の前方段差部には、縦に複数本の並行スリット３ｃが形成され、各スリット３ｃに、白鍵及び黒鍵のストッパ片の先端部１ｄ，２ｄが挿入される。
【０００４】
水平部３ａには、鍵スイッチ４が設置され、これに対向して、白鍵本体部１、黒鍵本体部２の上面裏側に突部（アクチュエータ）がある。
ストッパ片の先端部１ｄの上面に対向して、水平部３ａの下面に、鍵の配列方向に沿って帯状に上限ストッパ６が配置されている。一方、水平部３ｂの上面には、下限ストッパ８１が帯状に配置されている。上限ストッパ６，下限ストッパ８１は、図示の例ではすべての白鍵及び黒鍵に共通のものである。
【０００５】
上限ストッパ６及び下限ストッパ８１として、衝撃吸収性、消音性、及び、回動範囲の再現性の観点から、弾性復元力を備えたものが必要であり、従来、フェルト又はポリウレタン・エラストマ等の弾性型動作規制部材が使用されている。
演奏者が押鍵すると、鍵スイッチ４が弾性圧縮されてスイッチがオンとなる。演奏者がさらに鍵を押圧すると、下限ストッパ５は、押圧された白鍵本体部１，黒鍵本体部２の左右両側面から衝撃を受けて弾性変形する。その際、内部損失により運動エネルギが熱エネルギに変換されることにより鍵は制動される。
しかし、下限ストッパ８１は、弾性変形から元に戻るときに弾性復元力を発生し、この弾性復元力が鍵に対する反発力（リバウンドと呼ばれる）となって、鍵本体部１，黒鍵本体部２から演奏者の指に伝わり、演奏者に不快感を与える。
【０００６】
一方、離鍵時において、図示しない復帰バネの作用等による鍵復帰力により、押鍵された白鍵本体部１，黒鍵本体部２は元の初期位置に復帰する。このとき、ストッパ片の先端部１ｄの上面が上限ストッパ６に衝突する。
その際、上限ストッパ６の弾性復帰力が、白鍵本体部１，黒鍵本体部２に対する反発力となる。この反発力は、鍵復帰力とは相反する方向であるため、白鍵本体部１，黒鍵本体部２は、完全に静止するまで振動を繰り返し、演奏者の指が鍵に触れていると、この振動が伝わって演奏者に不快感を与える。
【０００７】
また、従来の電子楽器用の鍵盤装置として、押鍵操作に連動して質量体を回動させることにより、アコースティック・ピアノに似た押鍵感触が得られるものがある。
上述した質量体に対する上限ストッパ及び下限ストッパもまた、質量体の慣性モーメントの衝撃を吸収して制動するが、質量体が衝突したときに反発力を発生し、これが鍵を介して演奏者の指に伝わり、演奏者に不快感を与える。
【０００８】
そこで、特許文献１においては、ハンマの上限ストッパに並設する形で「質量部ＭＢ」が設けられている。「質量部ＭＢ」は、質量体２２を上側クッション２１と下側クッション２３とで挟んだ構造となっている。
この質量体２２は、エラストマやゴムに金属粉が混合された弾性材料で構成される。又は、砂や金属粉を袋状部材で包んで全鍵幅又は複数の鍵幅に亘る長さに形成したものを適用してもよいと記載されている。
上述した「質量部ＭＢ」を使用することにより、押鍵押し切り時におけるハンマ体の跳ね返り、指への衝撃及び衝撃音を抑制しつつ、しっかりとしたストップ感を長期に亘り維持することが記載されている。
【０００９】
しかし、この特許文献１では、下側クッション２３を介してハンマの衝撃を受けており、また、上側クッション２１を介してシャーシに接着固定されているため、砂や金属粉を袋状部材で包んだ部材の機能が十分に発揮できない。
また、上述した砂や金属粉を袋状部材で包んだ部材にハンマ２が衝突したときに受ける応力による袋状部材の耐久性及び衝突後の外形状の原状復帰性（形状再現性）についてまでは検討されていなかった。
【特許文献１】特開２００３−１９５８５３（図４〜図６）
【発明の開示】
【発明が解決しようとする課題】
【００１０】
本発明は、上述した問題点を解決するためになされたもので、複数の粒子が包囲部材により包囲された構造の動作規制部材における、包囲部材の耐久性、原状復帰性を向上させた電子鍵盤楽器の鍵盤装置を提供することを目的とするものである。
【課題を解決するための手段】
【００１１】
請求項１に記載の発明においては、電子楽器の鍵盤装置において、並設された複数の回動部材と、該複数の回動部材を支持するフレームと、前記各回動部材を衝突させることにより当該回動部材の回動範囲を規制する動作規制部材を有する電子楽器の鍵盤装置において、前記動作規制部材の少なくとも１つは、複数の粒子が包囲部材により部分的に又は全体を包囲されて閉領域に収容され、前記複数の回動部材の配列方向に延在するものであり、前記少なくとも１つの動作規制部材を収容し、前記回動部材が前記動作規制部材に衝突したとき、前記動作規制部材が前記回動部材の配列方向に直交する方向に拡張することを規制する拡張規制部材が、前記フレームの側にあるものである。
従って、回動部材が動作規制部材に衝突したとき、複数の粒子同士が摺動したり衝突したりすることにより、大きな内部損失が得られるから、動作規制部材が回動部材に反発力を与えない。動作規制部材は、回動部材のその配置箇所に応じて、回動部材の回動範囲のうち、回動範囲の初期位置又は最大回動位置を規制する。
回動部材が動作規制部材に衝突したとき、動作規制部材が回動部材の配列方向に直交する方向に拡張することを拡張規制部材が規制するから、包囲部材の耐久性が向上するとともに、衝突後における動作規制部材の外形状の原状復帰性が向上する。
【００１２】
請求項２に記載の発明においては、請求項１に記載の電子楽器の鍵盤装置において、前記複数の回動部材は、前記動作規制部材に鉛直略下方向から衝突し、前記拡張規制部材は、前記動作規制部材の各衝突位置に対応して、それぞれ、スリット状開口部を有するものである。
動作規制部材の粒子は自重により鉛直下方向に集まるため、包囲部材の衝突面の位置が正確に保たれる。その際、動作規制部材の包囲部材は、拡張規制部材により下方向から支持されていることから、包囲部材５２に、複数の粒子１１による重力が不均一に加わって、動作規制部材の配置箇所に応じて衝突面の位置にばらつきを生じたり、包囲部材の耐久性が局所的に悪くなったりするおそれがなくなる。
【００１３】
請求項３に記載の発明においては、請求項１又は２に記載の電子楽器の鍵盤装置において、前記拡張規制部材が前記少なくとも１つの動作規制部材を収容する領域に、該領域を前記複数の回動部材の配列方向に分割する移動規制部材を有し、前記動作規制部材は、複数の動作規制部材に分割され、分割された動作規制部材が、それぞれ、前記移動規制部材により分割された前記領域に収容され、前記粒子が前記複数の回動部材の配列方向に移動することを規制するものである。
従って、動作規制部材を複数の動作規制部材に分割し、分割したそれぞれを、移動規制部材により複数の回動部材の配列方向に分割された領域に収容することにより、粒子の移動範囲は、分割された動作規制部材の範囲内に制限されるから、回動部材の配列方向に粒子が大きく移動することがない。
上述した少なくとも１つの動作規制部材を収容する領域を複数の領域に分割するには、拡張規制部材自体を分割するか、この拡張規制部材の上述した少なくとも１つの動作規制部材を収容する領域に間仕切部を設ければよい。
【００１４】
請求項４に記載の発明においては、請求項１から３までのいずれか１項に記載の電子楽器の鍵盤装置において、前記拡張規制部材は、前記フレームと一体に形成されているものである。
フレームに拡張規制部材を組み付ける時に生じる誤差を避けることができるから、動作規制特性にばらつきが生じない。
【００１５】
上述した請求項１から４までのいずれか１項に記載の電子楽器の鍵盤装置において、前記複数の回動部材は、鍵及び該鍵の押鍵操作に連動して回動する質量体の少なくとも一方である。
鍵盤装置には、押鍵操作に連動して回動する質量体を備えたものと備えないものとがある。包囲部材により複数の粒子が包囲された動作規制部材は、鍵及び質量体のいずれの回動範囲の規制に用いてもよいし、両方の回動範囲の規制に用いてもよい。その際、鍵及び質量体は異なる領域に配置されているから、鍵に対する動作規制部材と質量体に対する動作規制部材とは異なる部材となる。
また、回動範囲の規制として、回動上限の位置規制と回動下限の位置規制とがある。複数の粒子が包囲部材により閉領域に収容された動作規制部材を、いずれの規制に用いてもよいし、両方に用いてもよい。上限の位置規制に対する動作規制部材と下限の位置規制に対する動作規制部材とは異なる部材となる。
【発明の効果】
【００１６】
本発明によれば、回動部材が動作規制部材に衝突したときに反発力が生じないために鍵タッチ感が良好となる構造の動作規制部材を使用した場合に、この動作規制部材の包囲部材の耐久性が向上し、かつ、動作規制部材の原状復帰性が向上するという効果がある。
【発明を実施するための最良の形態】
【００１７】
図１は、本願発明の第１の実施形態を模式的に示す説明図である。
図１（ａ）は、電子楽器の鍵盤装置を模式的に示す右側面図、図１（ｂ），図１（ｃ）は、その下限ストッパ５を右側面方向から模式的に示す説明図であり、図１（ｄ）は、正面方向から模式的に示す説明図である。
図中、図７と同様な部分には同じ符号を付して説明を省略する。
【００１８】
図１（ａ）において、下限ストッパ５は、複数の白鍵本体部１（回動部材）及び複数の黒鍵本体部２（回動部材）に関し、その配列方向（鍵並び方向）に延在する長尺の動作規制部材である。この下限ストッパ５は、拡張規制部材１０に収容され、鍵盤フレーム（フレーム）３の前部３ｄに配置されている。
一方、上限ストッパ６は、従来通りのフェルト等を用いた動作規制部材にしている。
【００１９】
図１（ｂ）〜図１（ｄ）を参照し、下限ストッパ５及び拡張規制部材１０の機能について、白鍵本体部１の押鍵操作に対する動作を例にして説明する。
下限ストッパ５は、複数の粒子１１が、図示の例では筒状の包囲部材１２により全体を包囲されて閉領域に収容されたものである。この下限ストッパ５に、ストッパ片１ｃ，２ｃが衝突することにより、白鍵本体部１，黒鍵本体部２の回動範囲のうち、最大回動位置を規制する。
筒状の包囲部材を作成するには、包囲部材そのものを、袋織り、丸編み、筒状射出成形によって筒状にする方法の他、重ね合わされた２枚の矩形素材の端部を結合したり、矩形素材を円筒状に丸めて結合する方法もある。
【００２０】
図１（ｂ）に示すように、鍵盤フレーム３側に拡張規制部材１０が、複数の鍵の配列方向に延在するように取り付けられている。
図示の例では、拡張規制部材１０は、鍵の長手方向に前方壁１０ａ及び後方壁１０ｂを有し、両者が底面部１０ｃにより結合された形状のものである。図示の例では、前方壁１０ａ，後方壁１０ｂは鉛直であり、底面部１０ｃは水平である。
この拡張規制部材１０は、下限ストッパ５を収容するとともに、ストッパ片１ｃが衝突する面（上面）を開放する開口部を有する。下限ストッパ５は、その包囲部材１２を拡張規制部材の底面部１０ｃに接着等の方法で固定されている。
【００２１】
図１（ｃ），図１（ｄ）に示すように、ストッパ片の左右の先端部１ｄが下限ストッパ５に衝突したとき、包囲部材１２を介して、複数の粒子１１同士が摺動したり衝突したりすることにより、大きな内部損失が得られるから、下限ストッパ５は白鍵本体部１に反発力を与えない。従って、弾性エネルギが蓄積されず、白鍵本体部１に対する反発力が発生しない。その結果、不快なタッチ感が排除される。
本明細書において、包囲部材１２により複数の粒子１１が包囲（部分包囲又は全部包囲）された構造を、以下、簡単に、「パーティクル・バッグ」と呼ぶ場合がある。
【００２２】
粒子１１は、固体物であり、球体として図示しているが、球体に限られない。外形寸法は、球体の場合で３mmφ以下が望ましい。先行技術文献１に記載の砂や金属粉でもよく、その他、セラミック、金属、プラスチックでもよい。
包囲部材１２は、複数の粒子１１を閉領域に拘束するとともに、粒子１１の挙動を包括的に拘束する。包囲部材１２は、例えば、薄くて柔軟性のある素材（薄皮状の素材ということもできる）で形成されている。
衝突を受けたときの運動エネルギが、複数の粒子１１に伝わることを阻害せず、粒子の摺動や衝突を妨げることなく、複数の粒子を閉領域に収容できるものがよい。包囲部材１２の柔軟性を調節することにより、演奏者の所望する感触が得られるようにする。
【００２３】
包囲部材１２は、より具体的には、弾性を有する素材であり、内部、外部から受ける力に応じて包囲部材の表面積が伸縮するものがよい。しかし、包囲部材は、伸縮しなくても布のように、自由に曲がったり弛んだりするものでもよい。
上述した包囲部材１２として、網目（メッシュ）状の包囲部材、例えば、織布（クロス）、編み物（ニット）、不織布を用いることができる。
包囲部材１２として、プラスチック、天然ゴム、合成ゴムなどの薄膜（フィルム）４４を用いてもよい。これらが発泡体である場合もある。薄膜には、複数の通気孔があるとよい。
包囲部材１２が通気性を有していれば、白鍵本体部１，黒鍵本体部２が下限ストッパ５に衝突したとき、包囲部材１２の内部の空気圧による反発力が発生しない。
【００２４】
図１（ｄ）に示すように、ストッパ片の先端部１ｄが下限ストッパ５に衝突したとき、複数の粒子１１は、鍵の配列方向に移動して包囲部材１２を迫り上げる。
図示の拡張規制部材１０においては、包囲部材１２と前方壁１０ａとの間、包囲部材１２と後方壁１０ｂの間に、僅かな間隙Δ1，Δ2を設けて、下限ストッパ５を収容している。
従って、ストッパ片の先端部１ｄが下限ストッパ５に衝突したとき、粒子１１は、鍵の長手方向にも移動して、包囲部材１２が鍵の長手方向に拡張する。しかし、それ以上の拡張は、前方壁１０ａ，後方壁１０ｂにより阻止される。従って、拡張規制部材１０は、下限ストッパ５が鍵の長手方向に拡張することを規制する。
拡張されたときの包囲部材１２の外形状を所定の形状にしたい場合は、拡張規制部材１０の内形状を所定の形状にしておけばよい。
【００２５】
ユーザが離鍵操作をすることにより、白鍵本体部の左側面部１ｅ，右側面部１ｆの下端が、下限ストッパ５1から離れたとき、包囲部材１２が縮むことにより、図１（ｃ）の初期状態に戻る。
上述したように、拡張規制部材１０が包囲部材１２の、鍵の長手方向への拡張を規制することから、包囲部材１２が伸びすぎることがなくなり、その結果、包囲部材１２の耐久性が向上する。また、衝突復帰後に下限ストッパ５の外形状が元の形状に復帰しやすなることから、動作規制位置の再現性が得られやすい。
【００２６】
上述した上述した隙間Δ1，Δ2は、例えば、包囲部材１２の伸長率に応じて決めればよいが、隙間自体をなくしてもよい。
また、前方壁１０ａ，後方壁１０ｂを鉛直方向から傾斜させる等の方法で、鉛直方向に隙間Δ1，Δ2の幅が変化するようにしたり、前方壁１０ａ，後方壁１０ｂの材質を柔軟な弾性素材にしたりすれば、鍵の長手方向の拡張規制及び原状復帰性を緩やかにすることができる。
【００２７】
なお、包囲部材１２は、鍵の配列方向の全鍵幅に亘って延在し、その両端部は、包囲部材１２と同じ素材を当てることにより封止したり、別の部材を用いて封止したりして、両端部から粒子１１が外に出ないようにする。
後述する他の包囲部材についても、鍵の配列方向の全鍵幅に亘って延在しているものは、同様に、その両端部を封止する。
【００２８】
図２は、図１に示した下限ストッパ５及び拡張規制部材１０の他の具体例を示す説明図である。
図中、図７，図１と同様な部分には同じ符号を付して説明を省略する。
図２（ａ）は、下限ストッパ２１として、基材と包囲部材２２とにより閉領域の全周囲を包囲して、粒子１１が散逸しないようにしたものである。図示の例では、拡張規制部材の底面部１０ｃを基材とし、この基材に包囲部材２２を接着、融着等により封着している。
基材である拡張規制部材の底面部１０ｃが通気性を有していれば、包囲部材２２に通気性がなくても、白鍵本体部１，黒鍵本体部２が下限ストッパ５に衝突したとき、包囲部材２１の内部の空気圧による反発力が発生しない。
【００２９】
図２（ｂ）は、拡張規制部材と鍵盤フレーム３とを一体に形成したものである。
図中、２３は鍵盤フレームであり、図１に示した鍵盤フレーム３と同様のものであるが、図示の部分において相違があるために、異なる符号を付した。
鍵盤フレームの前部２３ｄ上に、前方壁２３ｅ，後方壁２３ｅが形成され、両者の間が底面部２３ｆとなる。図１に示した下限ストッパ５を収容しているが、図２（ａ）に示した下限ストッパ２１を収容するものでもよい。
【００３０】
図１に示したような、鍵盤フレーム３と拡張規制部材１０とを別体とした構造であれば、量産時に、フレーム３に拡張規制部材１０を組み付ける時に誤差を避けられないから、拡張規制部材１０の位置にばらつきが生じ、特性にもばらつきが生じる。これに対し、フレーム３と拡張規制部材１０とを一体に形成することにより、特性にばらつきが生じない。
【００３１】
図３は、本願発明の第２の実施形態を模式的に示す説明図である。
図中、図１，図７と同様な部分には同じ符号を用いている。
この実施の形態は、白鍵本体部３１及び黒鍵本体部３２の左右側面部の下面が下限ストッパ３５に衝突する構成を前提とし、かつ、箱形の拡張規制部材３４を用いたものである。
【００３２】
図３（ａ）において、３１は白鍵本体部、３１ａは白鍵本体部１の先端部、３１ｂは鍵支点部、３１ｃはストッパ片、３１ｄはストッパ片の先端部である。３２は黒鍵本体部、３２ａは黒鍵本体部３２の先端部、３２ｂは鍵支点部である。黒鍵本体部３２のストッパ片３２ｃ、ストッパ片の先端部３２ｄは、白鍵本体部のストッパ片３１ｃ、ストッパ片の先端部３１ｄと重なる位置にある。
【００３３】
３３は鍵盤フレームであって、鍵の長手方向の前後部に段差があり、これらの間が水平部３ａとなり、水平部３ａの後部分に鍵支持部３ｂがある。３３ｃは水平部３３ａの前方寄り、鍵スイッチ４の前方に設けられ、ストッパ片３１ｃ，３２ｃが挿入されるスリットである。３３ｄは、さらに前方に設けられた凹部であり、ここに、箱形の拡張規制部材３４が取り付けられ、この拡張規制部材３４は下限ストッパ３５が収容されている。
また、ストッパ片の先端部３１ｄの上面に対向して、水平部３３ａの下面に、上限ストッパ６が帯状に配置されている。
【００３４】
図３（ｂ）において、拡張規制部材３４は、下ケース３６と円弧状の上面を有した上ケース３７とが結合されたものである。下ケースの前方壁３６ａ及び後方壁３６ｂとが、図１を参照して説明した前方壁１０ａ及び後方壁１０ｂに相当する。
一方、上ケースには、複数の開口部３７ａがあり、ここから下限ストッパ３５が露出する。隣接する開口部３７ａの間は、結合部３７ｂであって、上ケース３７の前方面と後方面とを結合する。
【００３５】
下限ストッパ３５は、図１の下限ストッパ５と同様に、パーティクル・バッグであって、包囲部材３８は筒状である。
しかし、拡張規制部材３４を基材として、包囲部材３８を拡張規制部材３４の内面に貼り付けて固定することにより、包囲部材３８と拡張規制部材３４とで、複数の粒子１１を包囲して収容してもよい。この場合、粒子１１は箱状の拡張規制部材３４に流し込むことができる。
【００３６】
結合部３７ｂがあるため、包囲部材３８は、開口部３７ａにおいて、鍵の長手方向にも鍵の配列方向にも弧状に膨らますことができる。この場合、粒子１１は、結合部３７ｂを境として仕切られるため、粒子１１は、鍵の配列方向に、１つの開口部３７ａから隣接するものへとは移動しにくくなる。
白鍵本体部３１，黒鍵本体部３２の左右側面部下端は、開口部３７ａにおける包囲部材３８に位置するよう、開口部３７ａの寸法及び配置が設計されている。
従って、結合部３７ｂの位置は、各白鍵本体部３１，黒鍵本体部３２の鍵の幅方向中央部の位置に対応する。
また、結合部３７ｂは、ｎ（ｎは正整数）鍵に１個の割合で、鍵の幅方向中央部の位置に対応するようにしてもよい。
【００３７】
図４は、本願発明の第３の実施形態を模式的に示す説明図である。
図４（ａ）は、その右側面図、図４（ｂ）はその拡張規制部５０及び上限ストッパ５１を拡大し、後方下面から見た斜視図（粒子１１の図示を省略）、図４（ｃ）は拡張規制部５０及び上限ストッパ５１を拡大した右側面図である。
図中、図１，図７と同様な部分には同じ符号を用いている。
この実施の形態は、質量体４８に対する上限ストッパ５１に、パーティクル・バッグを用いたものである。
【００３８】
図中、４１は白鍵本体部（回動部材）、４２は黒鍵本体部（回動部材）である。鍵盤フレーム４３は、鍵の長手方向の前後部に段差部があり、これらの間が水平部４３ａとなっている。水平部４３ａの後部分に鍵支持部４３ｂがあり、水平部４３ａの裏面前部に質量体支持部４３ｃがある。
白鍵本体部４１，黒鍵本体部４２の鍵支点部４１ｂ，４２ｂは、鍵支持部４３ｂに取り付けられ、白鍵本体部４１，黒鍵本体部４２を回動可能にしている。
【００３９】
鍵盤フレーム４３の段差部の前後は、鍵盤フレーム底板４４への取付部４３ｄ，取付部４３ｅとなる。取付部４３ｄの前面は垂直壁４３ｆとなる。鍵盤フレーム底板４４は鍵盤フレーム側の固定部材、例えば、電子楽器の下ケース（棚板）であってもよい。
垂直壁４３ｆには、白鍵本体部４１に対する鍵ガイド４５がある。鍵ガイド４５は白鍵本体部の先端部４１ａ近傍の下部に挿入される。一方、水平部４３ａの前部分に立設された鍵ガイド４６は、黒鍵本体部４２に対するものである。
水平部４３ａ上に、鍵スイッチ４が設置され、これに対向して、白鍵本体部４１、黒鍵本体部４２の上面裏側に図示しない突部（アクチュエータ）がある。
【００４０】
白鍵本体部４１の下部から力伝達部４１ｃが突き出し、水平部４３ａに設けられた孔４３ｇを貫通している。力伝達部４１ｃの先端に底板を有し、この底板の上部は、鍵の長手方向に抜けている。この底板の上下面に弾性部材４７（上面の方は見えない）が固着されている。
質量体４８は、複数の白鍵本体部４１，黒鍵本体部４２のそれぞれに設けられ、各鍵の下方に鍵の配列方向に配置されている。図示の質量体４８は、白鍵本体部４１に対するもので、質量体支持部４３ｃにより回動自在に支持され、対応する鍵の力伝達部４１ｃを介して回動される。
【００４１】
質量体４８は、質量体支持部４３ｃに支持される回動支点部４８ｃと、鍵の力伝達部４１ｃに係合する、主被駆動部４８ａ及び副被駆動部４８ｂと、慣性モーメントを発生する腕状の慣性モーメント発生部４８ｄを有する。慣性モーメント発生部４８ｄの後端は、質量集中部４８ｅとなる。
【００４２】
主被駆動部４８ａ及び副被駆動部４８ｂは、力伝達部４１ｃの底板を弾性部材４７を介して挟み込むようにして力伝達部４１ｃと係合している。
演奏者が鍵を押す操作に連動して質量体４８が回動すると、慣性モーメント発生部４８ｄの反作用が白鍵本体部４１から演奏者の指に与えられる。演奏者が鍵から指を離すと、質量体４８は重力の作用により逆回動して図示の位置に戻る。
黒鍵本体部４２の力伝達部は、図示を省略したが、力伝達部４１ｃとは鍵の配列方向に重なる位置にあり、同様な質量体支持部により回動自在に支持された質量体が設けられ、対応する黒鍵の力伝達部により回動される。
【００４３】
５０は拡張規制部材であって、水平部４３ａの裏面後部に取り付けられ、上限ストッパ５１を収容する。拡張規制部材５０には、図４（ｂ），図４（ｃ）に示すように、下方下向きにスリット状開口部５０ｅを有する。
上限ストッパ５１は、質量体４８に対する動作規制部材である。押鍵により質量体４８が回動したとき、質量集中部４８ｅが、スリット状開口部５０ｅを通して上限ストッパ５１に衝突することにより、質量体４８の回動範囲の内、最大回動位置が規制される。
【００４４】
４９は、質量体４８に対する従来のフェルト等を用いた下限ストッパであって、鍵盤フレーム底板４４に帯状に配置されている。
白鍵本体部４１が離鍵されたことに連動して、回動した質量体４８が復帰するとき、質量集中部４８ｅの下面部が衝突することにより、質量体４８が初期位置になるように動作規制する。
【００４５】
上限ストッパ５１は、図１，図２を参照して説明した下限ストッパ５と同様のパーティクル・バッグであって、複数の粒子１１が包囲部材５２により部分的に又は全体を包囲されて閉領域に収容されたものである。
なお、図示の例では、包囲部材５２を袋状としているが、包囲部材５２と基材とで複数の粒子１１の全体を包囲するようにしてもよい。例えば、包囲部材５２を、前方取付部５０ａ，後方取付部５０ｂから前方壁５０ｃ，後方壁５０ｄに沿わせるようにして架け渡し、水平部４３ａを基材とし、水平部４３ａで蓋をする構造としてもよい。
【００４６】
図４（ｂ）において、拡張規制部材５０は、前方取付部５０ａ及び後方取付部５０ｂにおいて、水平部４３ａの裏面に取り付けられる。両者の間に、前方壁５０ｃ及び後方壁５０ｄが、下方向に延設されて最下端面で結合している。
図示の例では、前方壁５０ｃ及び後方壁５０ｄは鉛直下方向よりも略Ｖ字状に傾斜して最下端面において水平となって結合している。
前方壁５０ｃ及び後方壁５０ｄには、最下端面を中心に、スリット状開口部５０ｅが設けられている。
【００４７】
図４（ｃ）において、拡張規制部材５０に収容された上限ストッパ５１は、複数の粒子１１に加わる重力の作用により、その包囲部材５２の下方部分が前方壁５０ｃ及び後方壁５０ｄの内壁面を圧接する。
白鍵本体部２１が押下されたことに連動して、質量体の質量集中部４８ｅの上面が、鉛直略下方向から上限ストッパ５１の包囲部材５２に衝突したとき、包囲部材５２の鍵の長手方向への拡張は、前方壁５０ｃ及び後方壁５０ｄにより規制される。その結果、包囲部材５２の拡張が制限されるから、包囲部材５２の耐久性を向上させる。
【００４８】
図示のように、上限ストッパ５１と水平部４３ａの裏面との間に、隙間を設けておけば、上限ストッパ５１の全体が上方向に変位することもできる。
図示の例では、１個の質量体４８毎に、この質量集中部４８ｅに対応してスリット状開口部５０ｅが設けられている。これに代えて、複数個の質量集中部４８ｅ、典型的には、ｎ（ｎは正整数）個を１グループとして、このグループに対して１個の、鍵の配列方向に幅が拡大された開口部が設けられてもよい。
【００４９】
質量集中部４８ｅが衝突した後、この質量集中部４８ｅが包囲部材５２から離れたとき、複数の粒子１１は、自重により鉛直下方向に集まるため、上限ストッパ５１は自動的に拡張規制部材５０の内壁形状に従う元の初期状態に復帰する。
その結果、質量体の質量集中部４８ｅが上限ストッパ５１に衝突する際の当接位置、言い換えれば、衝突する時点における慣性モーメント発生部４８ｄの回動角度がいつも一定になって、安定した動作規制が行われる。
【００５０】
仮に、拡張規制部材５０がない状態で、上限ストッパ５１が水平部４３ａに取り付けられた場合を考えると、包囲部材５２に、複数の粒子１１による重力が不均一に加わるおそれがある。
これに対し、複数の各スリット状開口部５０ｅの両側部（鍵の配列方向）により、包囲部材５２が支持されているから、質量集中部４８ｅが上限ストッパ５１に衝突する際の当接位置が、鍵によってばらつきを生じたり、包囲部材５２に局所的に大きな張力が加わって耐久性が悪くなったりするおそれがない。
質量体を有する鍵盤構造及び回動方向は、図４に示したものに限らない。初期位置で質量体が上限にあり、鍵の押し込み位置で質量体が下限にあってもよい。
【００５１】
図１〜図３に示した下限ストッパ５，２１，３５は、複数の粒子１１が包囲部材１２，２２，３８に包囲されて閉領域に収容され、鍵の配列方向に延在した構造であった。
図４に示した上限ストッパ５１も、同様に鍵の配列方向に延在した構造であった。
そのため、電子鍵盤楽器を鍵の配列方向に傾いた状態で使用したり、電子鍵盤楽器を鍵の配列方向を縦にして保管したり、移動させたりしたときに、粒子１１が鍵の配列方向に移動して偏在してしまう。そうすると、ストッパ部材の初期の動作規制特性が、一部の鍵又は一部の質量体においては得られないことになる。
【００５２】
図５は、図４を参照して説明した第３の実施形態の第１の変形例の説明図である。
この実施の形態は、図４に示した水平部４３ａに、拡張規制部材５０に代えて、粒子１１が鍵の配列方向に移動することを規制する間仕切部（移動規制部材）６１ｇを有する拡張規制部材６０を設けたものである。それに伴い、上限ストッパ５１に代えて複数の上限ストッパ６１を用いたものである。上限ストッパ６１もまた、パーティクル・バッグであって、鍵の配列方向に延在するものである。
【００５３】
拡張規制部材６０において、６０ａは前方取付部、６０ｂは後方取付部、６０ｃは前方壁、６０ｄは後方壁、６０ｅは端面部、６０ｆはスリット状開口部である。
この拡張規制部材６０には、粒子１１が質量体の配列方向（鍵の配列方向）に移動することを規制する少なくとも１つの間仕切部６１ｇが、上限ストッパ６１を収容する収容領域を分割するように鍵の配列方向に配設されている。
【００５４】
図４に示した質量体の質量集中部４８ｅは、図５に示した上限ストッパ６１に対し、鉛直略下方向から衝突する。拡張規制部材６０は、上限ストッパ６１を収容するとともに、上限ストッパ６１における複数の質量集中部４８ｅが衝突する面に対応した位置に、それぞれ、スリット状開口部６０ｆを有する。
【００５５】
図４に示した上限ストッパ５１は、図５においては、複数の上限ストッパ６１に分割され、分割された上限ストッパ６１は、それぞれ、間仕切部６１ｇにより分割された拡張規制部材６０の各収容領域に収容される。
上限ストッパ６１を作成するには、包囲部材６２の形状に成形されたフィルム状の袋に複数の粒子１１を充填すればよい。
あるいは、まず、筒状の包囲部材６２の片端を略点状に絞って、紐で縛ったり、ゴム止めしたり、糸で縫合したり、金属製リングでかしめたりして締結する。他端から複数の粒子を流し込み、他端も略点状に絞って締結すればよい。
【００５６】
上述した構成により、粒子１１の移動範囲は、それぞれの上限ストッパ６１の範囲内に制限されるから、鍵の配列方向に粒子１１が大きく移動することがない。
図示の例では、拡張規制部材６０の収容領域に間仕切部６１ｇを設けて、これを移動規制部材としている。これに代えて、拡張規制部材６０自体を分割し、それぞれの端面部６０ｅをもって移動規制部材としてもよい。
また、上述した説明では、質量体４８に対する上限ストッパ６１の例であったが、質量体４８に対する下限ストッパをパーティクル・バッグとしたときにも、上述した移動規制部材と同様のものを配置することができる。
【００５７】
図６は、図４を参照して説明した第３の実施形態の第２の変形例の説明図である。図６（ａ）はその右側面図、図６（ｂ）は拡張規制部材の拡大斜視図である。
この実施の形態は、図４に示した拡張規制部材５０に代えて、水平部７１ａと一体に形成した拡張規制部材（７１ｈ，７１ｉ）を用いたものである。
図中、図１，図７，図４と同様な部分には同じ符号を用いている。
【００５８】
鍵盤フレーム７１は、鍵の長手方向の前後部に段差部があり、これらの間が水平部７１ａとなっている。水平部７１ａの後部分に鍵支持部７１ｂがあり、水平部７１ａの裏面前方に質量体支持部４３ｃがある。
鍵盤フレーム７１の段差部の前後は、取付部７１ｄ，取付部７１ｅであり、取付部７１ｄの前面は垂直壁７１ｆとなる。垂直壁７１ｆには鍵ガイド４５があり、水平部７１ａの前方に鍵ガイド４６が立設されている。力伝達部４１ｃは、水平部７１ａに設けられた孔７１ｇを貫通している。
【００５９】
水平部７１ａの後部分には、鍵盤フレーム７１の成形時に拡張規制部材が形成される。
図６（ｂ）において、７１ｈは前方壁、７１ｉは後方壁、７１ｊはスリット状開口部、７１ｋは連結部である。
前方壁７１ｈ及び後方壁７１ｉは、水平部７１ａが、所定幅に亘って図示の例では鉛直下方に曲がる形状とすることにより形成され、両者の下端が中間で水平に結合し、全体としてＵ字状の断面を有する。
なお、連結部７１ｋをなくし、スリット状開口部７１ｊにおいては、水平部７１ａに貫通孔が開口した構造としてもよい。
【００６０】
上述した一体成形は、鍵盤フレーム７１が金属（板金）であれば、プレス加工で実現でき、鍵盤フレーム７１がプラスチックであれば、金型成型で実現できる。
このような前方壁７１ｈ及び後方壁７１ｉの複数組が、鍵の配列方向に間隔を空けて形成されている。従って、隣接する組の間の水平部７１ａは、連結部７１ｋとなり、この連結部７１ｋの直下に、スリット状開口部７１ｊが形成されることになる。
【００６１】
上述した複数組の前方壁７１ｈ及び後方壁７１ｉが拡張規制部材となり、前方壁７１ｈ、後方壁７１ｉ及び連結部７１ｋに囲まれた領域に、上限ストッパ７２が収容される。
図示の上限ストッパ７２の断面形状は円形であって、包囲部材７３の下半分は、前方壁７１ｈ、後方壁７１ｉに内接している。
従って、上限ストッパ７２に対し、質量体集中部４８ｅが鉛直下方向から衝突したとき、前方壁７１ｈ及び後方壁７１ｉは、上限ストッパ７２が鍵の長手方向前後に拡張することを規制する。
【００６２】
図示の例では、粒子１１の鍵の配列方向への移動を規制していない。しかし、図５に示した間仕切部６１ｇと同様な移動機性部材もまた、鍵盤フレーム７１と一体に形成してもよい。この場合、上限ストッパ７２は、複数の上限ストッパに分割し、分割された上限ストッパを、それぞれ、間仕切部により分割された拡張規制部材７１ｈ，７１ｉの各収容領域に収容する。
【００６３】
質量体を有する鍵盤構造及び回動方向は、図４，図６に示したものに限らない。初期位置で傾斜状態であった質量体が、押鍵したときに鉛直方向に立ち上がるものもある。この場合、鉛直方向に立ち上がったとき、パーティクル・バッグが水平方向の衝突を受けるようにすればよい。
また、初期位置で質量体が上限にあり、鍵の押し込み位置で質量体が下限にあってもよい。
【００６４】
上述した上限ストッパ６，５１，６１，７２及び下限ストッパ５，２１，３５，４９の設置位置は、典型的な位置を例示して説明したが、鍵（白鍵本体部１，黒鍵本体部２）や鍵に連動する質量体４８に対する動作規制機能を果たすものであれば、図示の位置以外に設けてもよい。
上限ストッパ及び下限ストッパを鍵盤フレーム３，３３，４３，７１そのものに配置する必要はなく、図４に示した鍵盤フレーム底板４４のような、鍵や質量体４８に対する固定側、に配置されていればよい。
上述した下限ストッパ、上限ストッパとして、パーティクル・バックに、フェルト等を用いた従来の弾性型動作規制部材を並設してもよい。
【００６５】
図１〜図３を参照して説明した拡張規制部材１０，（２３ｅ〜２３ｇ），３４は、鍵の回動に対する下限ストッパ５，２１，３５を収容するものであったが、図４，図６を参照して説明した質量体４８に対する下限ストッパとしてパーティクル・バッグを用いた場合の拡張規制部材にも使用できる。
その際、拡張規制部材が質量集中部４８ｅに当接しないように、図１，図２に示したものでは、前方壁１０ａ及び後方壁１０ｂの高さを設計し、図３に示したものでは開口部３７ａの高さ方向の切れ込み長を設計する。
【００６６】
一方、図４〜図６を参照して説明した拡張規制部材５０，６０，（７１ｈ，７１ｊ）は、質量体４８に対する上限ストッパ５１，６１，７２を収容するものであったが、図１〜図３を参照して説明した鍵の回動に対する上限ストッパとしてパーティクル・バッグを用いた場合の拡張規制部材にも使用できる。
図５を参照した説明では、質量体４８に対する上限ストッパ６１の例であったが、上述した間仕切部６１ｇや端面部６０ｅと同様構成の移動規制部材は、図１〜図３に示した白鍵本体部１，黒鍵本体部２に対する下限ストッパ５，２１，３５において配置してもよい。
【図面の簡単な説明】
【００６７】
【図１】本願発明の第１の実施形態を模式的に示す説明図である。
【図２】図１に示した下限ストッパ及び拡張規制部材の他の具体例を示す説明図である。
【図３】本願発明の第２の実施形態を模式的に示す説明図である。
【図４】本願発明の第３の実施形態を模式的に示す説明図である。
【図５】図４を参照して説明した第３の実施形態の第１の変形例の説明図である。
【図６】図４を参照して説明した第３の実施形態の第２の変形例の説明図である。
【図７】従来の電子楽器の鍵盤装置を模式的に説明する右側面図である。
【符号の説明】
【００６８】
１…白鍵本体部（回動部材）、１ｂ…鍵支点部、１ｃ…ストッパ片、１ｄ…ストッパ片の先端部，２…黒鍵本体部（回動部材）、２ｂ…鍵支点部、２ｃ…ストッパ片、２ｄ…ストッパ片の先端部、３，２３…鍵盤フレーム（フレーム）、３ａ…水平部、３ｂ…鍵支持部、３ｃ，２３ｃ…並行スリット、３ｄ，２３ｄ…前部、４…鍵スイッチ、５…下限ストッパ（動作規制部材）、６…上限ストッパ、１０…拡張規制部材、１０ａ，２３ｅ…前方壁、１０ｂ，２３ｆ…後方壁、１０ｃ，２３ｇ…底面部、１１…粒子、１２，２２…包囲部材
【００６９】
３１…白鍵本体部（回動部材）、３２…黒鍵本体部（回動部材）、３３…鍵盤フレーム（フレーム）、３４…拡張規制部材、３５…下限ストッパ（動作規制部材）、３６…下ケース、３６ａ…前方壁、３６ｂ…後方壁、３７…上ケース、３７ａ…開口部、３８…包囲部材
【００７０】
４１…白鍵本体部（回動部材）、４１ｂ…鍵支点部、４２…黒鍵本体部（回動部材）、４２ｂ…鍵支点部、４３，７１…鍵盤フレーム（フレーム）、４３ａ，７１ａ…水平部、４３ｂ，７１ｂ…鍵支持部、４３ｃ，７１ｃ…質量体支持部、４３ｇ，７１ｇ…孔、４４…鍵盤フレーム底板、４５…鍵ガイド（白鍵用）、４６…鍵ガイド（黒鍵用）、４７…弾性部材、４８…質量体、４８ｃ…回動支点部、４８ｅ…質量集中部、４９…下限ストッパ、５０，６０…拡張規制部材、５０ｃ，６０ｃ，７１ｈ…前方壁、５０ｄ，６０ｄ，７１ｉ…後方壁、（７１ｈ，７１i）…拡張規制部材、５０ｅ，６０ｆ，７１ｊ…スリット状開口部、６０ｇ…移動規制部材、７１ｋ…連結部、５１，６１，７２…上限ストッパ（動作規制部材）、５２，６２，７３…包囲部材
【図１】
2008145944.tif 000003
【図２】
2008145944.tif 000004
【図３】
2008145944.tif 000005
【図４】
2008145944.tif 000006
【図５】
2008145944.tif 000007
【図６】
2008145944.tif 000008
【図７】
2008145944.tif 000009